(57)【要約】【課題】ケース内に内蔵されたＲＦＩＤタグがケースの誘電率の影響を受け難い記録テープカートリッジを得る。【解決手段】記録テープカートリッジ１０では、記録テープＴが巻き回されたリール２０と、給電部７４Ｂの両側に放射部７４Ａが配置されて成るタグアンテナ７４を含んで構成されたＵＨＦ帯ＲＦＩＤタグ７０と、リール２０が収容されたケース１２とを備えている。ケース１２内におけるリール空間３４の外側には、ＵＨＦ帯ＲＦＩＤタグ７０における放射部７４Ａの設置部位が収容される放射部空間８０と、給電部７４Ｂの設置部位の少なくとも一部が収容された給電部空間７８とが形成されており、放射部７４Ａの形成部位は放射部空間８０を囲むリールエリアリブ３２、上後壁１４ＢＢとは非接触とされている。【選択図】図４
2011141930.tif 000002
【特許請求の範囲】
【請求項１】
記録テープが巻き回されたリールと、
給電部に対する両側に放射部が配置されて成るアンテナを含むＲＦＩＤタグと、
前記リールが収容されたリール空間と、前記アンテナの給電部の一部を含む中央部が収容された給電部空間と、前記アンテナの各放射部が収容された放射部空間とを有し、かつ該放射部空間を構成する境界部が前記放射部の少なくとも一部と非接触とされたケースと、
を備えた記録テープカートリッジ。
【請求項２】
前記ケースは、前記各放射部空間を構成する境界部間の前記放射部又は前記境界部の法線方向における間隔が、前記給電部空間構成する境界部間の該境界部又は前記給電部の法線方向における間隔よりも大とされている請求項１記載の記録テープカートリッジ。
【請求項３】
前記ケースは、前記リールの軸方向から見て該リールに対し外側に位置する１つの角隅部に一方の前記放射部空間が配置されると共に、該角隅部に対し周方向に隣り合う他の角隅部に他方の前記放射部空間が配置されて構成されている請求項１又は請求項２記載の記録テープカートリッジ。
【請求項４】
前記放射部空間を構成する前記境界部における前記放射部に最も近い部分と該放射部との距離は、前記給電部空間を構成する境界部における前記給電部に最も近い部分と該給電部との距離よりも大とされている請求項１〜請求項３記載の記録テープカートリッジ。
【請求項５】
前記放射部空間における前記放射部の厚み方向両側に位置する各境界部と前記放射部との距離の和は、前記給電部空間における前記給電部の厚み方向両側に位置する各境界部と前記放射部との距離の和よりも大とされている請求項１〜請求項３記載の記録テープカートリッジ。
【請求項６】
前記アンテナの放射部は、前記放射部空間を構成する境界部に対して２ｍｍ以上離れて配置されている請求項１〜請求項５記載の記録テープカートリッジ。
【請求項７】
前記アンテナの放射部は、前記放射部空間を構成する境界部に対して４ｍｍ以上離れて配置されている請求項１〜請求項６記載の記録テープカートリッジ。
【請求項８】
前記ケースは、外周壁に対する内側で立設された立設部を有し、該立設部と外周壁とで囲まれた空間内に前記各放射部空間の少なくとも一部が配置されている請求項１〜請求項７の何れか１項記載の記録テープカートリッジ。
【請求項９】
前記ケースは、外周壁に対する内側で立設された立設部を有し、該立設部と外周壁とで挟まれた空間、又は前記で前記記録テープの幅方向に突出された立設部同士で挟まれた空間が前記放射部空間の少なくとも一部とされている請求項１〜請求項８の何れか１項記載の記録テープカートリッジ。
【請求項１０】
前記立設部は、前記リール空間と、前記放射部空間とを隔てる分離壁である請求項８又は請求項９記載の記録テープカートリッジ。
【請求項１１】
前記放射部は、前記放射空間内で、該放射部に対する厚み方向両側にそれぞれ位置する前記境界部間の略中央部に配置されている請求項１〜請求項１０の何れか１項記載の記録テープカートリッジ。
【請求項１２】
前記外周壁及び分離壁は、前記放射部空間における前記放射部の厚み方向の互いに異なる側で前記境界部を成す壁であり、
前記放射部は、前記外周壁及び分離壁からの距離が等しくなるように前記放射部空間内に配置されている請求項１０記載の記録テープカートリッジ。
【請求項１３】
前記ケースにおける前記放射部空間を構成する境界部の少なくとも一部は、前記放射部と向き合うように前記ケース内で立設された壁である請求項１〜請求項１２の何れか１項記載の記録テープカートリッジ。
【請求項１４】
前記ＲＦＩＤタグは、前記給電部が前記給電部空間を構成する境界部に接するように前記ケースに支持されている請求項１〜請求項１３の何れか１項記載の記録テープカートリッジ。
【請求項１５】
前記ＲＦＩＤタグは、前記放射部の形成部位とは非接触とされた保持部材を介して前記ケースに保持されている請求項１〜請求項１４の何れか１項記載の記録テープカートリッジ。
【請求項１６】
前記ＲＦＩＤタグは、前記放射部の形成部位との接触部の幅が２ｍｍ以下とされた保持部材を介して前記ケースに保持されている請求項１〜請求項１４の何れか１項記載の記録テープカートリッジ。
【発明の詳細な説明】
【技術分野】
【０００１】
本発明は、ＲＦＩＤタグが内蔵された記録テープカートリッジに関する。
【背景技術】
【０００２】
カートリッジケースの後壁部の内面に沿ってＲＦＩＤタグを配置した磁気テープカートリッジが知られている（例えば、特許文献１参照）。
【先行技術文献】
【特許文献】
【０００３】
【特許文献１】特開２００７−２５７７４４号公報
【発明の概要】
【発明が解決しようとする課題】
【０００４】
しかしながら、上記の如き技術では、カートリッジケースを樹脂成形により形成する場合、ＲＦＩＤタグの性能が誘電体であるカートリッジケース（素材）の影響を受けてしまう。また、磁気テープやリールなどの素材も誘電体とみなされるため、同様の影響を受けてしまう。
【０００５】
本発明は、ケース内に内蔵されたＲＦＩＤタグがケースの誘電率の影響を受け難い記録テープカートリッジを得ることが目的である。
【課題を解決するための手段】
【０００６】
請求項１記載の発明に係る記録テープカートリッジは、記録テープが巻き回されたリールと、前記記録テープの幅方向が短手方向とされた矩形状を成し、給電部に対する両側に放射部が配置されて成るアンテナを含むＲＦＩＤタグと、前記リールが収容されたリール空間と、前記アンテナの給電部の一部を含む中央部が収容された給電部空間と、前記アンテナの各放射部が収容された放射部空間とを有し、かつ該放射部空間を構成する境界部が前記放射部の少なくとも一部と非接触とされたケースと、を備えている。
【０００７】
請求項１記載の記録テープカートリッジでは、ＲＦＩＤタグは、そのアンテナにおける給電部がケースの給電部空間に収容されると共に、そのアンテナにおける各放射部がケースの各放射部空間に収容されている。ＲＦＩＤタグは、各放射部の少なくとも一部が放射部空間を構成する境界部とは非接触であるため、ケース（素材）の誘電率の影響を受け難い。
【０００８】
このように、請求項１記載の記録テープカートリッジでは、ケース内に内蔵されたＲＦＩＤタグがケースの誘電率の影響を受け難い。なお、放射部空間を構成する境界部とは、ケースの内外を隔てる壁、ケース内における放射部空間と他の空間との間に存在する壁、突起物等と捉えても良く、このような壁や突起（の中実部分）と放射部空間との界面である壁面や突起表面等と捉えても良い。
【０００９】
請求項２記載の発明に係る記録テープカートリッジは、請求項１記載の記録テープカートリッジにおいて、前記ケースは、前記各放射部空間を構成する境界部間の前記放射部又は前記境界部の法線方向における間隔が、前記給電部空間構成する境界部間の該境界部又は前記給電部の法線方向における間隔よりも大とされている。
【００１０】
請求項２記載の記録テープカートリッジでは、ケースは、各放射部空間における放射部又は境界部の法線方向における複数の境界部間の間隔が、給電部空間を構成する境界部又は給電部の法線方向における複数の境界部間の間隔よりも大とされている。このように、放射部空間が給電部空間よりもアンテナ又は境界部の法線方向に広いので、放射部を給電部よりも境界部から離間して配置することで、ＲＦＩＤタグがケースの誘電率の影響を受けにくくすることができる。一方、アンテナにおけるケースの誘電率の影響を受け難い部位である給電部は境界部に近接配置することができ、ケース内の空間を有効利用してＲＦＩＤタグを配置することができる。特に、この構成は記録テープカートリッジ内に十分大きな前記放射部空間を確保できない場合に、放射部を給電部に対し相対的に広い空間に配置することができるので、有効である。
【００１１】
請求項３記載の発明に係る記録テープカートリッジは、請求項１又は請求項２記載の記録テープカートリッジにおいて、前記ケースは、前記リールの軸方向から見て該リールに対し外側に位置する１つの角隅部に一方の前記放射部空間が配置されると共に、該角隅部に対し周方向に隣り合う他の角隅部に他方の前記放射部空間が配置されて構成されている。
【００１２】
請求項３記載の記録テープカートリッジでは、ケース内における軸方向視で円形状を成すリール（リール空間）の外側で周方向に隣り合う２つの角隅部に、それぞれ１つずつ放射部空間が配置される。一方、給電部空間は、２つの角隅部間に位置する部分に配置される。これにより、リール空間を有するケース内の限られた空間を利用して、相対的に狭い給電部空間の両側に相対的に広い放射部空間を配置することができる。そして、上記した通り広い空間である放射部空間では、アンテナの放射部を境界部から離して配置することができ、ＲＦＩＤタグがケースの誘電率の影響を受け難くすることができる。
【００１３】
請求項４記載の発明に係る記録テープカートリッジは、請求項１〜請求項３記載の記録テープカートリッジにおいて、前記放射部空間を構成する前記境界部における前記放射部に最も近い部分と該放射部との距離は、前記給電部空間を構成する境界部における前記給電部に最も近い部分と該給電部との距離よりも大とされている。
【００１４】
請求項４記載の記録テープカートリッジでは、アンテナの放射部は、その法線方向における放射部空間を構成する境界部との距離（最短距離）が、給電部と給電部空間を構成する境界部との距離（最短距離）よりも大とされている。ここで、ＲＦＩＤタグは、給電部よりも放射部においてケースの誘電率の影響を受けやすい。したがって、上記の通り放射部空間を構成する境界部から放射部を離して配置することで、ＲＦＩＤタグがケースの誘電率の影響を受け難くなる。一方、アンテナにおけるケースの誘電率の影響を受け難い部位である給電部は、相対的に給電部空間を構成する境界部に近接して配置されるので、ケース内の空間を有効利用してＲＦＩＤタグが配置される。
【００１５】
請求項５記載の発明に係る記録テープカートリッジは、請求項１〜請求項３記載の記録テープカートリッジにおいて、前記放射部空間における前記放射部の厚み方向両側に位置する各境界部と前記放射部との距離の和は、前記給電部空間における前記給電部の厚み方向両側に位置する各境界部と前記放射部との距離の和よりも大とされている。
【００１６】
請求項５記載の記録テープカートリッジでは、アンテナの放射部は、その厚み方向両側で放射部空間を構成する境界部との距離の和が、給電部の厚み方向両側で給電部空間を構成する境界部との距離の和よりも大とされている。すなわち、放射部は、給電部よりも厚み方向（法線方向）に広い空間に配置されている。ここで、ＲＦＩＤタグは、給電部よりも放射部においてケースの誘電率の影響を受けやすい。したがって、上記の通り放射部を厚み方向に広い空間に配置することで、ＲＦＩＤタグがケースの誘電率の影響を受け難くすることができる。一方、給電部は相対的に厚み方向に狭い空間配置されるので、ケース内の空間を有効利用してＲＦＩＤタグが配置される。
【００１７】
請求項６記載の発明に係る記録テープカートリッジは、請求項１〜請求項５の何れか１項記載の記録テープカートリッジにおいて、前記アンテナの放射部は、前記放射部空間を構成する境界部に対して２ｍｍ以上離れて配置されている。
【００１８】
請求項６記載の記録テープカートリッジでは、アンテナの放射部が放射部空間を構成する境界部から２ｍｍ以上離れているので、ＲＦＩＤタグの性能がケースの誘電率の影響を一層受け難い。
【００１９】
請求項７記載の発明に係る記録テープカートリッジは、請求項１〜請求項６の何れか１項記載の記録テープカートリッジにおいて、前記アンテナの放射部は、前記放射部空間を構成する境界部に対して４ｍｍ以上離れて配置されている。
【００２０】
請求項７記載の記録テープカートリッジでは、アンテナの放射部が放射部空間を構成する境界部から４ｍｍ以上離れているので、ＲＦＩＤタグの性能がケースの誘電率の影響をより一層受け難い。
【００２１】
請求項８記載の発明に係る記録テープカートリッジは、請求項１〜請求項７の何れか１項記載の記録テープカートリッジにおいて、前記ケースは、外周壁に対する内側で立設された立設部を有し、該立設部と外周壁とで囲まれた空間内に前記各放射部空間の少なくとも一部が配置されている。
【００２２】
請求項８記載の記録テープカートリッジでは、ケース内には、該ケースの外周壁と立設部とに囲まれた空間が形成されており、この空間内に放射部空間の少なくとも一部が配置（形成）されている。このように、本記録テープカートリッジでは、ケース内における外周壁と立設部とで囲まれた空間を利用して放射部を配置することができる。なお、この外周壁及び立設部が放射部空間を構成する境界部の少なくとも一部を成すものであっても良く、これら外周壁及び立設部により囲まれた空間内に位置する別の立設部等が放射部空間を構成する境界部の少なくとも一部であっても良い。また、立設部としては、壁状のもの（内壁）、衝立状のもの、スリット状（複数の棒状体が並列されたもの）、格子状のもの、突き出し棒状の突起物などが挙げられる。
【００２３】
請求項９記載の発明に係る記録テープカートリッジは、請求項１〜請求項８の何れか１項記載の記録テープカートリッジにおいて、前記ケースは、外周壁に対する内側で立設された立設部を有し、該立設部と外周壁とで挟まれた空間、又は前記で前記記録テープの幅方向に突出された立設部同士で挟まれた空間が前記放射部空間の少なくとも一部とされている。
【００２４】
請求項９記載の記録テープカートリッジでは、ケースの外周壁と立設部とで挟まれた空間、又は立設部同士で挟まれた空間である放射部空間に、ＲＦＩＤタグを構成するアンテナの放射部が収容されている。このように、本記録テープカートリッジでは、ケース内における外周壁と立設部との間の空間、又は立設部間の空間を利用して放射部空間の少なくとも一部を配置することができる。なお、立設部としては、壁状のもの（内壁）、衝立状のもの、スリット状（複数の棒状体が並列されたもの）、格子状のもの、突き出し棒状の突起物などが挙げられる。
【００２５】
請求項１０記載の発明に係る記録テープカートリッジは、請求項８又は請求項９記載の記録テープカートリッジにおいて、前記立設部は、前記リール空間と、前記放射部空間とを隔てる分離壁である。
【００２６】
請求項１０記載の記録テープカートリッジでは、リール空間を規定する分離壁の外側に放射部空間が配置されている。このため、リール空間と放射部空間との間に分離壁以外の空間等が配置された構成と比べて、ケース内におけるリール（リール空間）の外側に所要の広さ（放射部間距離）が要求される放射部を容易に設けることができる。
【００２７】
請求項１１記載の発明に係る記録テープカートリッジは、請求項１〜請求項１０の何れか１項記載の記録テープカートリッジにおいて、前記放射部は、前記放射空間内で、該放射部に対する厚み方向両側にそれぞれ位置する前記境界部間の略中央部に配置されている。
【００２８】
請求項１１記載の記録テープカートリッジでは、アンテナの放射部は、その厚み方向両側に位置する境界部間の略中央部に配置されている。これにより、ＲＦＩＤタグは、ケースの誘電率の影響を一層受け難い。すなわち、本記録テープカートリッジにおけるＲＦＩＤタグは、アンテナ放射部が一方の境界部側にオフセット配置されている構成との比較においても、ケースの誘電率の影響を受け難い。
【００２９】
請求項１２記載の発明に係る記録テープカートリッジは、請求項１０記載の記録テープカートリッジにおいて、前記外周壁及び分離壁は、前記放射部空間における前記放射部の厚み方向の互いに異なる側で前記境界部を成す壁であり、前記放射部は、前記外周壁及び分離壁からの距離が等しくなるように前記放射部空間内に配置されている。
【００３０】
請求項１２記載の記録テープカートリッジでは、アンテナの放射部は、その厚み方向両側に位置する外周壁及び分離壁との距離が略等しくなる配置（境界部間の略中央部への配置）とされている。これにより、ＲＦＩＤタグは、ケースの誘電率の影響を一層受け難い。すなわち、本記録テープカートリッジにおけるＲＦＩＤタグは、アンテナ放射部が外周壁側又は分離壁側にオフセット配置されている構成との比較においても、ケースの誘電率の影響を受け難い。
【００３１】
請求項１３記載の発明に係る記録テープカートリッジは、請求項１〜請求項１２の何れか１項記載の記録テープカートリッジにおいて、前記ケースにおける前記放射部空間を構成する境界部の少なくとも一部は、前記放射部と向き合うように前記ケース内で立設された壁である。
【００３２】
請求項１３記載の記録テープカートリッジでは、アンテナの放射部と向き合うために該放射部に誘電率の影響を与えやすい壁が放射部空間を構成する境界部（の少なくとも一部）を構成しているものの、上記請求項１〜１２の構成によって、該壁が放射部に誘電率の影響を与えることが効果的に抑制される。
【００３３】
請求項１４記載の発明に係る記録テープカートリッジは、請求項１〜請求項１３の何れか１項記載の記録テープカートリッジにおいて、前記ＲＦＩＤタグは、前記給電部が前記給電部空間を構成する境界部に接するように前記ケースに支持されている。
【００３４】
請求項１４記載の記録テープカートリッジでは、アンテナにおけるケースの誘電率の影響を受け難い部位である給電部が給電部空間を構成する境界部に接するように配置されているので、ケース内の空間を一層有効に利用してＲＦＩＤタグを配置することができる。
【００３５】
請求項１５記載の発明に係る記録テープカートリッジは、請求項１〜請求項１４の何れか１項記載の記録テープカートリッジにおいて、前記ＲＦＩＤタグは、前記放射部の形成部位とは非接触とされた保持部材を介して前記ケースに保持されている。
【００３６】
請求項１５記載の記録テープカートリッジでは、ＲＦＩＤタグをケースに対し保持する保持部材が該ＲＦＩＤタグにおける放射部の形成部位とは非接触とされている。このため、ＲＦＩＤタグは、保持部材の誘電率の影響を受け難い。
【００３７】
請求項１６記載の発明に係る記録テープカートリッジは、請求項１〜請求項１４の何れか１項記載の記録テープカートリッジにおいて、前記ＲＦＩＤタグは、前記放射部の形成部位との接触部の幅が２ｍｍ以下とされた保持部材を介して前記ケースに保持されている。
【００３８】
請求項１６記載の記録テープカートリッジでは、ＲＦＩＤタグをケースに対し保持する保持部材と、該ＲＦＩＤタグにおける放射部の形成部位との接触幅が２ｍｍ以下（０ｍｍを含む）とされている。このため、ＲＦＩＤタグは、保持部材の誘電率の影響を受け難い。
【発明の効果】
【００３９】
以上説明したように本発明に係るＲＦＩＤタグ及び記録テープカートリッジは、ケース内に内蔵されたＲＦＩＤタグがケースの誘電率の影響を受け難いという優れた効果を有する。
【図面の簡単な説明】
【００４０】
【図１】本発明の第１の実施形態に係る記録テープカートリッジの上側から見た分解斜視図である。
【図２】本発明の第１の実施形態に係る記録テープカートリッジの下側から見た分解斜視図である。
【図３】本発明の第１の実施形態に係る記録テープカートリッジを示す斜視図である。
【図４】本発明の第１の実施形態に係る記録テープカートリッジを構成する上ケースへのＵＨＦ帯ＲＦＩＤタグの取り付け構造を示す斜視図である。
【図５】本発明の第１の実施形態に係る記録テープカートリッジを構成する上ケースに対するＵＨＦ帯ＲＦＩＤタグの取り付け状態を示す底面図である。
【図６】本発明の第１の実施形態に係る記録テープカートリッジを構成する上ケースを示す底面図である。
【図７】本発明の第１の実施形態に係る記録テープカートリッジを構成するＵＨＦ帯ＲＦＩＤタグを示す正面図である。
【図８】本発明の第１の実施形態に係る記録テープカートリッジを構成するケースの壁部とＵＨＦ帯ＲＦＩＤタグの放射部との相対位置が通信周波数に与える影響を説明するための第１のシミュレーション結果を示す線図である。
【図９】本発明の第１の実施形態に係る記録テープカートリッジを構成するケースの壁部とＵＨＦ帯ＲＦＩＤタグの放射部との相対位置が通信周波数に与える影響を説明するための第２のシミュレーション結果を示す線図である。
【図１０】図９のシミュレーションの条件を説明するための模式図である。
【図１１】本発明の第１の実施形態に係る記録テープカートリッジを構成するケースの壁部とＵＨＦ帯ＲＦＩＤタグの放射部との相対位置が通信周波数に与える影響を説明するための第３のシミュレーション結果を示す図であって、（Ａ）はＵＨＦ帯ＲＦＩＤタグの放射部に対し樹脂パネルをＹ方向に相対変位させた場合の結果を示す線図、（Ｂ）はＵＨＦ帯ＲＦＩＤタグの放射部に対し樹脂パネルをＸ方向に相対変位させた場合の結果を示す線図である。
【図１２】図１１のシミュレーションの条件を説明するための図であって、（Ａ）はＵＨＦ帯ＲＦＩＤタグの放射部に対し樹脂パネルが原点に位置する状態の正面図、（Ｂ）はＵＨＦ帯ＲＦＩＤタグの放射部に対し樹脂パネルがＸ−方向に相対変位した状態の正面図である。
【図１３】本発明の第１の実施形態を構成するＵＨＦ帯ＲＦＩＤタグの放射部における樹脂パネルの誘電率の影響を受け易い部分を示した正面図である。
【図１４】本発明の第２の実施形態に係る記録テープカートリッジの上側から見た分解斜視図である。
【図１５】本発明の第２の実施形態に係る記録テープカートリッジを示す斜視図である。
【図１６】本発明の第２の実施形態に係る記録テープカートリッジを構成する上ケースへのＵＨＦ帯ＲＦＩＤタグの取り付け構造を示す斜視図である。
【図１７】本発明の第２の実施形態に係る記録テープカートリッジを構成する上ケースに対するＵＨＦ帯ＲＦＩＤタグの取り付け状態を示す底面図である。
【図１８】本発明の第２の実施形態に係る記録テープカートリッジを構成する上ケースを示す底面図である。
【図１９】本発明の第２の実施形態に係る記録テープカートリッジを構成するケースへのＵＨＦ帯ＲＦＩＤタグの保持構造を示す側断面図である。
【図２０】本発明の実施形態の第１変形例における上ケースに対するＵＨＦ帯ＲＦＩＤタグの取り付け状態を示す底面図である。
【図２１】本発明の実施形態の第２変形例における上ケースに対するＵＨＦ帯ＲＦＩＤタグの取り付け状態を示す底面図である。
【図２２】本発明の実施形態の第３変形例における上ケースに対するＵＨＦ帯ＲＦＩＤタグの取り付け状態を示す底面図である。
【図２３】本発明の実施形態の第４変形例における上ケースに対するＵＨＦ帯ＲＦＩＤタグ側の取り付け構造を示す正面図である。
【図２４】本発明の実施形態の第４変形例における上ケースに対するＵＨＦ帯ＲＦＩＤタグの取り付け構造を示す斜視図である。
【図２５】本発明の実施形態の第５変形例に係るＵＨＦ帯ＲＦＩＤタグを示す正面図である。
【図２６】本発明の実施形態の第６変形例に係るＵＨＦ帯ＲＦＩＤタグを示す正面図である。
【発明を実施するための形態】
【００４１】
本発明の第１の実施形態に係る記録テープカートリッジ１０について、図１〜図１３に基づいて説明する。先ず、記録テープカートリッジ１０の全体構成を説明し、次いで、記録テープカートリッジ１０に内蔵されるＵＨＦ帯ＲＦＩＤタグ７０、及びＵＨＦ帯ＲＦＩＤタグ７０の内蔵構造について説明することとする。なお、以下の説明では、便宜上、各図に適宜示す矢印Ｕ方向を上方向、矢印Ｆ方向を前方向、矢印Ｒ方向を右方向、矢印Ｌ方向を左方向とするが、これらの方向は記録テープカートリッジ１０の姿勢を限定するものではない。
【００４２】
図３には、記録テープカートリッジ１０の外観が斜視図にて示されている。また、図１には、記録テープカートリッジ１０の上方から見た分解斜視図が示されており、図２には、記録テープカートリッジ１０の下方から見た分解斜視図が示されている。これらの図に示される如く、記録テープカートリッジ１０は、ケース１２を備えている。ケース１２は、下向きに開口する樹脂製の上ケース１４と上向きに開口する樹脂製の下ケース１６とを、互いの開口端を突き合わせて接合することで構成されている。この実施形態では、ケース１２は、平面視で略矩形状（正方形状）を成すと共に上下方向に薄い扁平ケースとして構成されている。
【００４３】
具体的には、上ケース１４は、平面視で略矩形状の天板１４Ａの周縁部から外周壁１４Ｂが下向きに立設されて成り、下ケース１６は、平面視で略矩形状の底板１６Ａの周縁部から外周壁１６Ｂが上向きに立設されて成り、外周壁１４Ｂと外周壁１６Ｂとの開口端が突き当てられた状態で上ケース１４と下ケース１６とが接合されることで、ケース１２が構成されている。この実施形態では、上ケース１４の天板１４Ａ、下ケース１６の底板１６Ａから突出されたビスボス１５同士を突き当て、下側のビスボス１５内に頭部が収容されたビス（図示省略）のねじ部が上側のビスボス１５にねじ込まれることで、上ケース１４と下ケース１６とが接合されている。
【００４４】
このケース１２内には、記録テープとしての磁気テープＴが巻き回された単一のリール２０が回転可能に収容されている。リール２０に巻き回された磁気テープＴは、図示しないドライブ装置内において、ケース１２の右側壁１２Ｒにおける前端側に形成された開口１８を通じてケース１２の外側に引き出されるようになっており、このようにケース１２から引き出された磁気テープＴに対して情報の読み書きが行われるようになっている。磁気テープＴの先端には、ドライブ装置により磁気テープＴを引き出す際に操作（保持）されるリーダ部材としてのリーダピン２２が取り付けられている。
【００４５】
リーダピン２２は、その両端に形成されると共に磁気テープＴの幅方向端部から突出されたフランジ２２Ａが、ケース１２における開口１８に臨む位置に設けられたピン受け凹部２４に入り込まされることで、該ケース１２に対し所定の位置で保持されるようになっている。また、ケース１２には、フランジ２２Ａをピン受け凹部２４の凹壁に押し付けることで、ケース１２に対するリーダピン２２の姿勢を保持するためのスプリング２６が設けられている。このリーダピン２２は、フランジ２２Ａと記録テープＴとの間の細軸部分がドライブ装置の引き出し部材に引っ掛けられて、記録テープＴと共にケース１２から引き出されるようになっている。
【００４６】
さらに、ケース１２の開口１８は、開閉部材としてのドア２８によって開閉されるようになっている。ドア２８は、外周壁１４Ｂと外周壁１６Ｂとで成る右側壁１２Ｒに沿って形成されたガイド溝２５にガイドされつつ前後方向にスライドすることで、開口１８を開閉する構成とされている。ドア２８は、ドアスプリング３０によって、開口１８を閉じる方向に付勢されている。
【００４７】
またさらに、ケース１２には、リール２０を径方向外側（外周側）から覆うにように設けられた立設部（内壁）、分離壁としてのリールエリアリブ３２が立設されている。リールエリアリブ３２は、天板１４Ａ、底板１６Ａのそれぞれから立設された半体同士が接合されて構成され、リール２０が配置されるリール空間３４を囲む構成とされている。この実施形態では、リールエリアリブ３２は、周方向に部分的に複数立設されており、それぞれの周方向端部は連結壁３６を介して外周壁１４Ｂ、外周壁１６Ｂに連結されている。なお、開口１８の近傍に位置するリールエリアリブ３２の周方向端部には、ガイド溝２５を形成するために連結壁３６は連結されず、強度確保のためにビスボス１５が一体化されている。
【００４８】
また、ケース１２の底板１６Ａの略中央部には、リール２０の軸心部を成すリールハブ３５の底部３５Ａに設けられたリールギヤ３８及び磁性金属製のリールプレート４０を露出させるためのリール開口４２が形成されている。ドライブ装置の図示しない回転シャフトは、マグネットによってリールプレート４０を吸着保持しつつ駆動ギヤをリールギヤ３８に噛み合わせて、リール２０を回転駆動するようになっている。
【００４９】
リール２０は、リールハブ３５の外周面に巻き回された磁気テープＴの幅方向のずれを規制する上下一対のフランジ４４、４６を有する。すなわち、フランジ４４、４６間に磁気テープＴが巻き回されている。さらに、リールハブ３５の円筒部内には、ケース１２に対するリール２０の回転をロック、ロック解除するためのロック機構４８が設けられている。
【００５０】
ロック機構４８は、リールハブ３５の底部３５Ａの上面側に設けられた上向きの係合ギヤ５０と、係合ギヤ５０に噛み合い可能な下向きの制動ギヤ５２Ａを有する制動部材５２と、制動部材５２のケース１２に対する回転を禁止する回転止め部５５と、制動ギヤ５２Ａが係合ギヤ５０に噛み合うように制動部材５２を下向きに付勢するロックスプリング５４と、ロックスプリング５４の付勢力に抗して制動部材５２を上方に押し上げるための解除操作部材５６とを主要部として構成されている。
【００５１】
回転止め部５５は、天板１４Ａから突出された十字リブ５８を制動部材５２の十字溝６０に上下方向に相対変位可能に挿入することで構成されている。解除操作部材５６は、底部３５Ａと制動部材５２との間に配置され、上方に移動することで制動部材５２を上側に移動させて制動ギヤ５２Ａの係合ギヤ５０への噛み合いすなわちリール２０の回転ロック状態を解除する構成とされている。
【００５２】
この実施形態では、解除操作部材５６は、平面視で略三角形状に形成された本体５６Ａの各頂部から垂下された脚部５６Ｂが底部３５Ａの貫通孔３５Ｂを貫通している。脚部５６Ｂは、リールギヤ３８の歯間に突出されており、該リールギヤ３８に噛み合う回転シャフトの駆動ギヤによって上方に押圧、移動されるようになっている。すなわち、ロック機構４８は、リールギヤ３８とドライブ装置側の駆動ギヤとの噛み合いに伴ってリール２０のケース１２に対する回転ロック状態が解除される構成とされている。解除操作部材５６は、リール２０と一体に回転し、その中央部に設けられた突起５６Ｃにおいて、ケース１２に対し回り止めされた制動部材５２の球面状の突起５２Ｂと低摩擦で摺接するようになっている。
【００５３】
また、記録テープカートリッジ１０は、磁気テープＴへの情報の書き込みを禁止するためのライトプロテクト部６２を備えている。ライトプロテクト部６２は、誤消去防止プラグ６４が、ユーザの操作によって、磁気テープＴへの情報の書き込みを許容する許容位置と、磁気テープＴへの情報の書き込みを禁止する禁止位置との間で移動可能に設けられて構成されている。この実施形態では、誤消去防止プラグ６４は、ケース１２の後左の角隅部１２ＢＬで、後壁１２Ｂに沿って移動することで、許容位置と禁止位置とをとり得る構成とされている。誤消去防止プラグ６４は、下ケース１６と上ケース１４とに跨って配置されており、下ケース１６内で後壁１２Ｂと略平行に設けられた下ガイド壁６８と、上ケース１４内で後壁１２Ｂと略平行に設けられた上ガイド壁６６とによってガイドされるようになっている。
【００５４】
さらに、記録テープカートリッジ１０は、例えば、記録テープカートリッジ１０の個体識別情報、製造情報、磁気テープＴの記録容量や記録形式等の個体ごとの各種情報が記憶されたメモリボードＭを備えている。メモリボードＭは、ケース１２の後右の角隅部１２ＢＲで、後方及び下方を共に向くように傾斜して配置されている。これにより、メモリボードＭは、ケース１２の下面側及び背面側の何れからも情報の読み取りが可能とされている。メモリボードＭは、下ケース１６内に（上ケース１４側に突出しないように）配置されている。
【００５５】
（ＲＦＩＤタグの構成）
以上説明した記録テープカートリッジ１０は、ケース１２に内蔵されたＵＨＦ帯ＲＦＩＤタグ７０を備えている。ＵＨＦ帯ＲＦＩＤタグ７０（後述のＩＣチップ７２）には、例えば、従来は記録テープカートリッジ１０に貼付されたバーコードラベル等で表されていた情報、保管時及びオートローダによる搬送使用時のカートリッジ個体一元管理（磁気テープＴへの記録内容との関係を考慮した管理）のための情報が読み書きされるようになっている。
【００５６】
図７には、ＵＨＦ帯ＲＦＩＤタグ（Ｒａｄｉｏ Ｆｒｅｑｕｅｎｃｙ ＩＤｅｎｔｉｆｉｃａｔｉｏｎタグの略で、ＲＦタグやＩＣタグともいう）７０の概略全体構成が正面図にて示されている。この図７に示される如く、ＵＨＦ帯ＲＦＩＤタグ７０は、通信用素子としてのＩＣチップ７２と、該ＩＣチップ７２が特定周波数ｆの電波で無線（非接触）通信を行うためのアンテナとしてのタグアンテナ７４と、これらを保持する基部としてのベースシート７６とを主要部として構成されている。なお、図示は省略するが、タグアンテナ７４を保護するための保護層、さらには、印字を可能とするための印字層、これらを密着させるための接着層などの付加構成も採り得る。ベースシート７６は、例えばポリエチレンテレフタレート（ＰＥＴ）等の樹脂材にて構成されている。
【００５７】
タグアンテナ７４は、アルミニウムや銅などの導電材より成り、特定方向（図７の矢印Ｘ方向）に長手とされており、かつＩＣチップ７２（を通る長手方向中心線）に対し対称（線対称）に形成された所謂ダイポールアンテナの一種として構成されている。形状について後述するが、タグアンテナ７４は、その総延長が上記した特定周波数ｆ（この実施形態では、ＵＨＦ帯ＲＦＩＤタグ７０の通信周波数であるＵＨＦ帯域の８６０ＭＨｚ〜９６０ＭＨｚ）の電波の波長λに応じて決められている。なお、タグアンテナ７４の総延長は、ベースシート、記録テープカートリッジ１０の構成部品（樹脂製のケース１２の後壁１２Ｂ、リールエリアリブ３２）である誘電体層の影響を考慮して、特定周波数ｆに応じた半波長に対し若干短い長さとされる。
【００５８】
タグアンテナ７４は、上記した総延長を確保するために、長手方向に複数回折り返されて、長手方向のメアンダライン構造を成している。具体的には、タグアンテナ７４は、その中央部にＩＣチップ７２が接続されており、該ＩＣチップ７２に対し左右対称に形成されている。タグアンテナ７４における両端には、他の部分よりも幅広とされた略長方形状の放射部７４Ａが形成されている。
【００５９】
タグアンテナ７４における放射部７４Ａ以外の部分は、ＩＣチップ７２の接続部分を含めて給電部７４Ｂとされており、この給電部７４Ｂが複数回折り返されることで、ベースシート７６の寸法内でタグアンテナ７４の総延長を確保している。この実施形態では、給電部７４Ｂの一部は放射部７４Ａを囲むように形成されている。なお、タグアンテナ７４においては、例えばベースシート７６の長手方向における放射部７４Ａの形成範囲を服務部分（図７に示す領域Ａ）を放射部、それ以外の部分を給電部として捉えても良く、また例えばＩＣチップ７２の接続部位を含む中央部（図７に示す領域Ｂ）を給電部、それ以外の部分を放電部として捉えても良い。また、タグアンテナ７４の長手方向の中央部には、ＩＣチップ７２の接続部を含んでループコイル部が形成されても良い。
【００６０】
以上説明したＵＨＦ帯ＲＦＩＤタグ７０は、タグアンテナ７４の全高が７〜８ｍｍ程度とされると共に、ベースシート７６の全高が９〜１０ｍｍ程度とされている。この寸法は、１２．６５ｍｍ幅の磁気テープＴが巻き回されたリール２０を収容するケース１２の上ケース１４又は下ケース１６に収容可能な寸法として設定されている。この実施形態では、後述するように、ＵＨＦ帯ＲＦＩＤタグ７０は上ケース１４に収容されるようになっている。なお、ＵＨＦ帯ＲＦＩＤタグ７０は、下ケース１６に収容されても良く、上ケース１４及び下ケース１６の双方に収容されても良い。
【００６１】
また、この実施形態におけるＵＨＦ帯ＲＦＩＤタグ７０（ベースシート７６）は、平面視で湾曲して形成されている。すなわち、ＵＨＦ帯ＲＦＩＤタグ７０は、例えば収縮率の異なる素材（フィルム等）を張り合わせると共に加熱してベースシート７６を構成することで、平坦な状態に弾性変形させると湾曲状態に復元しようとする板ばね機能を奏するように構成されている。
【００６２】
（ＲＦＩＤタグのケース内蔵構造）
図１及び図４に示される如く、ＵＨＦ帯ＲＦＩＤタグ７０は、上ケース１４の後部に収容されている。図５に示される如く、ＵＨＦ帯ＲＦＩＤタグ７０は、各放射部７４Ａの設置部位が、リール空間３４の外側空間であるケース１２の４隅うち周方向に隣り合う何れかの角隅部において、ケース１２に収容されている。この実施形態では、ＵＨＦ帯ＲＦＩＤタグ７０は、全体として、リール空間３４に対する後方に配置された給電部空間７８、放射部空間８０に収容されている。なお、以下の説明では、ＵＨＦ帯ＲＦＩＤタグ７０における放射部７４Ａの設置部位を単に放射部７４Ａという場合がある。
【００６３】
この実施形態における給電部空間７８は、図６にも示される如く、リール空間３４に配置されたリール２０（磁気テープＴの最外周部）と、上ケース１４の外周壁１４Ｂにおける後壁１２Ｂを構成する部分である上後壁１４ＢＢとの間に形成された空間とされている。この点を補足すると、この実施形態では、リール空間３４と給電部空間７８との間に物理的な境界部（ケース１２の構造部分）は存在しないが、このような構成において、ケース１２の構造部分に代わるものとして、磁気テープＴの最外周部を、放射部空間８０を構成する境界部とみなすものである。換言すれば、給電部７４Ｂに対向する誘電体である磁気テープＴの最外表面を、給電部空間７８と該給電部空間７８以外の部分である磁気テープＴとの境界部とみなすものである。
【００６４】
放射部空間８０は、リールエリアリブ３２と、連結壁３６と、上後壁１４ＢＢと、外周壁１４Ｂにおけるケース１２の左右の側壁（右側壁１２Ｒ及び左側壁１２Ｌ）を成す上側壁１４ＢＳとで囲まれた空間内に配置されている。
【００６５】
より具体的には、ケース１２の角隅部１２ＢＲに配置された右側（メモリボードＭの配置側）の放射部空間８０は、リールエリアリブ３２と、連結壁３６と、上後壁１４ＢＢと、上側壁１４ＢＳとで囲まれた空間とされている。右側の放射部空間８０においては、リールエリアリブ３２、上後壁１４ＢＢが本発明における放射部空間を構成する（周縁の少なくとも一部を規定する）境界部としての壁（放射部空間を囲む壁又は放射部空間を挟む壁として捉えることも可能である）とされている。具体的には、リールエリアリブ３２は、放射部空間８０とリール空間３４とを隔てる境界部を成し、上後壁１４ＢＢは、放射部空間８０とケース１２外の空間とを隔てる境界部を成している。また、リールエリアリブ３２の放射部空間８０側（放射部７４Ａを向く）の表面、上後壁１４ＢＢの放射部空間８０側の表面を、放射部空間８０と、該放射部空間８０ではない部分であるリールエリアリブ３２自体（誘電体である中実部）、上後壁１４ＢＢ自体（誘電体である中実部）との境界部と捉えても良い。
【００６６】
一方、ケース１２の角隅部１２ＢＬに配置された左側（誤消去防止プラグ６４の配置側）の放射部空間８０は、リールエリアリブ３２（立設部）と、連結壁３６（立設部）と、上ガイド壁６６（立設部）と、上側壁１４ＢＳとで囲まれた空間とされている。すなわち、左側の放射部空間８０は、ＵＨＦ帯ＲＦＩＤタグ７０の厚み方向においてケース１２内に形成された立設部同士に挟まれた（囲まれた）空間として捉えることができる。換言すれば、左側の放射部空間８０においては、リールエリアリブ３２、上ガイド壁６６が本発明における放射部空間を構成する（周縁の少なくとも一部を規定する）境界部としての壁（放射部空間を囲む壁又は放射部空間を挟む壁として捉えることも可能である）とされている。具体的には、リールエリアリブ３２は、放射部空間８０とリール空間３４とを隔てる境界部を成し、上ガイド壁６６は、該上ガイド壁６６と上後壁１４ＢＢとの間の空間を放射部空間８０と隔てる境界部を成している。また、リールエリアリブ３２の放射部空間８０側（放射部７４Ａを向く）の表面、上ガイド壁６６の放射部空間８０側の表面を、放射部空間８０と、該放射部空間８０ではない部分であるリールエリアリブ３２自体（誘電体である中実部）、上ガイド壁６６自体（誘電体である中実部）との境界部と捉えても良い。
【００６７】
ＵＨＦ帯ＲＦＩＤタグ７０を構成するタグアンテナ７４の放射部７４Ａ全体が配置される放射部空間８０は、給電部７４Ｂの少なくともＩＣチップ７２接続部位が配置される給電部空間７８よりも広い空間とされている。具体的には、図５に示される如く、給電部空間７８を構成する壁である上後壁１４ＢＢと磁気テープＴの最外周部との前後方向（給電部７４Ｂ、上後壁１４ＢＢの厚み方向）の最小間隔をＤ１、放射部７４Ａを挟むリールエリアリブ３２と上後壁１４ＢＢとの前後方向に沿った最小間隔をＤ２、リールエリアリブ３２と上後壁１４ＢＢとの放射部７４Ａの厚み方向に沿った最小間隔をＤ３とすると、Ｄ２＞Ｄ１、Ｄ３＞Ｄ１とされている。なお、図５では、タグアンテナ７４のうち７４Ａのみを破線にて示している。
【００６８】
そして、ＵＨＦ帯ＲＦＩＤタグ７０は、左右の放射部７４Ａが放射部空間８０の前後方向の略中央部に位置するように、上ケース１４内に収容されている。具体的には、上ケース１４における給電部空間７８と放射部空間８０との間に位置する連結壁３６には、ＵＨＦ帯ＲＦＩＤタグ７０が入り込む切欠部８２が形成されている。ＵＨＦ帯ＲＦＩＤタグ７０は、左右の放射部７４Ａの間の部分が該切欠部８２に入り込まされることで、放射部７４Ａの設置範囲を含む両端側が放射部空間８０に収容されると共に、中央部が給電部空間７８内に収容されている。
【００６９】
この実施形態では、上記の通り湾曲形成されたＵＨＦ帯ＲＦＩＤタグ７０は、曲率を小さくする方向に弾性変形された状態で両端がビスボス１５に接触されて復元を規制されている。このＵＨＦ帯ＲＦＩＤタグ７０自体の復元力によってＵＨＦ帯ＲＦＩＤタグ７０が上ケース１４に保持される構成である。この状態でＵＨＦ帯ＲＦＩＤタグ７０は、切欠部８２の後側の縁部に係合する。このため、切欠部８２の前側の縁部は、ＵＨＦ帯ＲＦＩＤタグ７０を案内する（誘い込む）ように傾斜された傾斜面としても良い。なお、上ケース１４に下ケース１６を接合した状態では、下ケース１６の連結壁３６（切欠部８２が形成された連結壁３６と突き当てられるもの）によってＵＨＦ帯ＲＦＩＤタグ７０の下ケース１６側への移動が規制されるようになっている。
【００７０】
この上ケース１４（ケース１２）への保持状態でＵＨＦ帯ＲＦＩＤタグ７０は、給電部７４Ｂの中央部（ＩＣチップ７２の接続部位）が、上後壁１４ＢＢに接触するか又は上後壁１４ＢＢに極近接されている。すなわち、ＵＨＦ帯ＲＦＩＤタグ７０は、給電部７４Ｂ（の設置範囲）が上後壁１４ＢＢに接するように、上ケース１４に支持されているものと捉えることができる。この実施形態では、ＵＨＦ帯ＲＦＩＤタグ７０の給電部７４Ｂ設置範囲と、給電部空間７８を構成する壁のうち近い方の壁である上後壁１４ＢＢとの距離Ｌ１は、０〜１ｍｍ程度とされている。
【００７１】
一方、ＵＨＦ帯ＲＦＩＤタグ７０における放射部７４Ａの設置範囲とリールエリアリブ３２、上後壁１４ＢＢとの最短距離をＬ２、Ｌ３とすると、Ｌ２≒Ｌ３でかつＬ２、Ｌ３＞２ｍｍとされている。このため、記録テープカートリッジ１０では、Ｌ２＞Ｌ１、Ｌ３＞Ｌ１とされている。すなわち、放射部７４Ａから放射部空間８０を構成する壁のうち近い側の壁までの最短距離が、上記距離Ｌ１よりも大きい設定とされている。
【００７２】
また、上記の通り放射部７４Ａを挟む両側に位置する放射部空間８０の壁間の間隔であるＤ２、Ｄ３が給電部７４Ｂを挟む両側に位置する給電部空間７８の壁間の間隔であるＤ１よりも大であるため、ＵＨＦ帯ＲＦＩＤタグ７０の厚みが十分に小さいことを考慮して、Ｌ２＋Ｌ３＞Ｄ１となる。これにより、放射部７４Ａから両側の壁であるリールエリアリブ３２、上後壁１４ＢＢまでの距離の和（Ｌ２＋Ｌ３）が、給電部７４Ｂから両側の壁である磁気テープＴの最外周部、上後壁１４ＢＢまでの距離の和（Ｌ１＋Ｌ４≒Ｄ１）よりも大きい設定とされている。
【００７３】
さらに、上記の最短距離、間隔の関係から、記録テープカートリッジ１０では、放射部７４Ａの設置範囲に亘る該放射部７４Ａから上後壁１４ＢＢまでの平均距離Ｌａ２、及び該放射部７４Ａからリールエリアリブ３２までの平均距離Ｌａ３のそれぞれが、給電部７４Ｂから上後壁１４ＢＢまでの平均距離Ｌａ１よりも大とされている。この実施形態では、放射部７４Ａの設置範囲に亘る上後壁１４ＢＢ、リールエリアリブ３２までの各平均距離Ｌａ２、Ｌａ３は、それぞれ４ｍｍ以上となるように設定されている。この平均距離は、上記の通りＵＨＦ帯ＲＦＩＤタグ７０における放射部７４Ａの設置範囲を、放射部空間８０の前後方向略中間部に配置する（Ｌａ１≒Ｌａ２とする）ことで実現されている。
【００７４】
また、記録テープカートリッジ１０では、ＵＨＦ帯ＲＦＩＤタグ７０における放射部７４Ａの設置範囲がビスボス１５に接触しないか、又は接触幅が２ｍｍ以下になる設定とされている。放射部７４Ａの設置範囲がビスボス１５に接触しない場合において、ＵＨＦ帯ＲＦＩＤタグ７０におけるビスボス１５の接触部位とタグアンテナ７４（の長手方向端部）との距離は２ｍｍ以上とすることが好ましく、４ｍｍ以上とすることがより好ましい。一方、ＵＨＦ帯ＲＦＩＤタグ７０における放射部７４Ａがビスボス１５に接触する構成においては、この実施形態におけるビスボス１５の周面が円筒面であるため、その接触幅が２ｍｍとなる構成が実現されている。ここで、本実施形態におけるビスボス１５は、放射部空間８０を構成する（周縁の一部を規定する）境界部として捉えられるものである。換言すれば、ビスボス１５の表面は、放射部空間８０ではない部分であるビスボス１５自体（誘電体である中実部又はねじ孔部分）と放射部空間８０との境界部として捉えられる。
【００７５】
以上、片側（右側）の放射部７４Ａの配置について説明したが、反対側（左側）の放射部７４Ａの配置についても同様に構成されている。ここで、図示は省略するが、左側の放射部空間８０は、上ガイド壁６６が後ろ側の境界部を成す壁とされているので、該上ガイド壁６６を基準とした上記の間隔Ｄ２、Ｄ３、最短距離Ｌ３、平均距離Ｌａ３が上記の関係を満たしている。
【００７６】
さらに、放射部７４Ａは、ケース１２の天板１４Ａに対しても上下方向に２ｍｍ以上離間されており、この実施形態では、４ｍｍ以上離間されている。すなわち、記録テープカートリッジ１０では、放射部７４Ａの向く方向（主な通信方向）だけでなく、放射部７４Ａの形成面に沿った方向に位置する誘電体である天板１４Ａとの距離が、好ましい態様である２ｍｍ以上であり、より好ましい態様である４ｍｍ以上に設定されている。上記の通りＵＨＦ帯ＲＦＩＤタグ７０は上ケース１４に保持されているので、放射部７４Ａは底板１６Ａに対して４ｍｍ以上離間されていることは言うまでもない。
【００７７】
次に、本実施形態の作用について説明する。
【００７８】
上記構成の記録テープカートリッジ１０では、磁気テープＴに情報を書き込む際、又は磁気テープＴに書き込まれた情報を読み取る場合には、ドライブ装置に装填される。この装填動作に伴って開口１８が開放されると共に、リール２０のリールギヤ３８に回転シャフトの駆動ギヤが噛み合わされ、リール２０の回転ロックが解除される。ドライブ装置は、リーダピン２２を先頭に磁気テープＴを引き出して該リーダピン２２をドライブ装置側のリールにセットすると、該リールとリール２０と同期して回転駆動しながら、テープ経路中に設けられたヘッドによって磁気テープＴに対する情報の書き込み、読み出しを行う。
【００７９】
一方、磁気テープＴに対する情報の書き込み、読み出しの終了後は、リール２０を逆転して磁気テープＴをリール２０に巻き取り、次いでリーダピン２２をピン受け凹部２４に保持させる。記録テープカートリッジ１０は、ドライブ装置から排出される動作に伴って、リール２０のケース１２に対する回転が制動部材５２によってロックされると共に、開口１８がドア２８によって閉止される。
【００８０】
この記録テープカートリッジ１０では、内蔵されたＵＨＦ帯ＲＦＩＤタグ７０に対しては、ケース１２の外部に近接させた図示しないリーダ／ライタによって、情報の読み書きが行われる。
【００８１】
ここで、記録テープカートリッジ１０では、ＵＨＦ帯ＲＦＩＤタグ７０における放射部７４Ａの設置範囲の少なくとも一部がケース１２の構成部品（リールエリアリブ３２、上後壁１４ＢＢ、ビスボス１５）とは非接触とされている。このため、ＵＨＦ帯ＲＦＩＤタグ７０は、ケース１２の誘電率の影響を受け難い。
【００８２】
この点について、図８〜図１３を参照しつつ補足する。図８には、ＵＨＦ帯ＲＦＩＤタグ７０と樹脂平板（リールエリアリブ３２や上後壁１４ＢＢに相当）との距離と、タグアンテナ７４の共振周波数との関係をシミュレーションした結果が示されている。シミュレーションの条件として、厚み１．１ｍｍ、比誘電率２．５５でＵＨＦ帯ＲＦＩＤタグ７０に対し十分に大きい樹脂平板１枚を、ＵＨＦ帯ＲＦＩＤタグ７０におけるタグアンテナ７４の形成側の面に対し面直方向に（平行を維持したまま）接離させている。この樹脂平板とＵＨＦ帯ＲＦＩＤタグ７０との各距離（位置）でタグアンテナ７４の共振周波数を数値計算により求めている。この図８から、ＵＨＦ帯ＲＦＩＤタグ７０と樹脂平板との距離Ｌが小さくなると、共振（通信可能）周波数が低くなることがわかる。また、距離Ｌが２ｍｍを下回ると、共振周波数の変化率が大きくなることがわかる。また、距離Ｌが３ｍｍ以上の場合に所要の共振周波数（このシミュレーション例では０．９２ＧＨｚ以上）が得られることが確かめられた。
【００８３】
図９には、平行に配置された一対の樹脂平板間におけるＵＨＦ帯ＲＦＩＤタグ７０の位置と、タグアンテナ７４の共振周波数との関係をシミュレーションした結果が示されている。シミュレーションの条件としては、厚み１．１ｍｍ、比誘電率２．５５でＵＨＦ帯ＲＦＩＤタグ７０に対し十分に大きい一対の樹脂平板間で、図１０に示される如く、これらの平板Ｐに対し平行なままＵＨＦ帯ＲＦＩＤタグ７０を移動させている。この図９から、樹脂平板間の間隔Ｄが小さいと、間隔Ｄが大きい場合と比較して共振（通信可能）周波数が低くなることがわかる。また、同じ平板間隔Ｄの場合、ＵＨＦ帯ＲＦＩＤタグ７０と何れかの平板Ｐとの距離が小さくなる（各平板との距離差が大きくなる）と、平板間の中央部にＵＨＦ帯ＲＦＩＤタグ７０が位置する場合と比較して共振（通信可能）周波数が低くなることがわかる。
【００８４】
そして、図９から、平板間距離が８ｍｍ以上で、かつＵＨＦ帯ＲＦＩＤタグ７０と各平板との距離が略３．５ｍｍ以上の場合に所要の共振周波数（０．９２ＧＨｚ以上）が得られることが確かめられた。ＵＨＦ帯ＲＦＩＤタグ７０と各平板とを平行に配置してシミュレーションしているので、この３．５ｍｍ以上の距離は、樹脂平板とタグアンテナ７４（放射部７４Ａ）との平均距離として把握することができる。
【００８５】
図１１（Ａ）、図１１（Ｂ）には、タグアンテナ７４における樹脂平板の影響を受けやすい部位を特定するためのシミュレーション結果が示されている。このシミュレーションでは、放射部７４Ａと同寸法（幅３．５ｍｍ、長さ２１．５ｍｍ）、厚み１．０ｍｍ、比誘電率２．５５の一対の樹脂平板Ｐｒを、図１２（Ａ）に示される如く、放射部７４Ａに全体として重なった状態を原点（Ｘ＝０、Ｙ＝０）として、該原点からＸ方向、Ｙ方向に移動させて、タグアンテナ７４の共振周波数を計算している。図１１（Ａ）は、Ｘ＝０のまま樹脂平板ＰｒをＹ方向に移動させた場合の共振周波数を示しており、図１１（Ｂ）は、Ｙ＝０のまま樹脂平板ＰｒをＸ方向に移動させた場合の共振周波数を示している。なお、Ｘ＋方向は一対の樹脂平板ＰｒがＸ方向に離間する方向であり、Ｘ−方向は一対の樹脂平板ＰｒがＸ方向に近接する方向である。図１２（Ｂ）は、樹脂平板ＰｒがＸ−方向に変位した状態を例示している。
【００８６】
図１１（Ａ）から、樹脂平板Ｐｒが原点からＹ＋方向に略２ｍｍ変位した位置で共振周波数が最も低下される（樹脂平板Ｐｒの誘電率の影響が大きい）ことがわかる。すなわち、放射部７４Ａの長手方向に沿った一方の縁部（Ｙ＋側の縁部７４Ｃ）に樹脂平板Ｐｒが接触しつつオーバラップする場合に、樹脂平板Ｐｒの誘電率の影響が大きいことがわかる。
【００８７】
また、図１１（Ｂ）から、樹脂平板Ｐｒが原点からＸ−方向に略２〜４ｍｍ変位した位置で共振周波数が最も低下される（樹脂平板Ｐｒの誘電率の影響が大きい）ことがわかる。すなわち、放射部７４Ａの短手方向に沿った一方の縁部（Ｘ−側であるＩＣチップ７２側を向く縁部７４Ｄ）に樹脂平板Ｐｒが接触しつつオーバラップする場合に、樹脂平板Ｐｒの誘電率の影響が大きいことがわかる。
【００８８】
上記の各シミュレーション結果により、タグアンテナ７４は、特に放射部７４Ａにおける図１３に示される領域Ｃに樹脂平板すなわちケース１２の構成部品が近接しかつオーバラップする場合に、該ケース１２の構成部品の誘電率の影響を受け易いことがわかる。一方、タグアンテナ７４は、給電部７４Ｂに近接された樹脂平板Ｐｒの誘電率の影響は受け難いことがわかる。なお、タグアンテナ７４は、その放射部７４Ａ、給電部７４Ｂの形状に応じて誘電率の影響を受け易い部分（位置や形状等）が異なるが、その形状に寄らず放電部において給電部よりも樹脂平板Ｐｒの影響を受け易い点は、別途シミュレーションにて確かめられている。
【００８９】
ここで、記録テープカートリッジ１０を構成するＵＨＦ帯ＲＦＩＤタグ７０では、上記の如く放射部７４Ａがリールエリアリブ３２、上後壁１４ＢＢの双方から離間されているので、これらリールエリアリブ３２、上後壁１４ＢＢ、又はＵＨＦ帯ＲＦＩＤタグ７０の厚み方向から見て放射部７４Ａにオーバラップ（対向）して配置されたリールエリアリブ３２、上後壁１４ＢＢの誘電率の影響を受け難い。
【００９０】
しかも、記録テープカートリッジ１０では、最短距離で２ｍｍ以上、平均距離で４ｍｍ以上離間されているので、図８及び図９に示される結果より、タグアンテナ７４は、放射部７４Ａにオーバラップ（対向）して配置されたリールエリアリブ３２、上後壁１４ＢＢの誘電率の影響をより一層受け難い。
【００９１】
一方、給電部７４Ｂは上後壁１４ＢＢ等の影響を受けにくいので、スペースが限られたケース１２へのＵＨＦ帯ＲＦＩＤタグ７０の内蔵についての制約となりにくい。このため、記録テープカートリッジ１０では、ケース１２内の空間を有効利用して、一対の放射部７４Ａをケース１２の周方向に隣り合う（対角とはならない）角隅部１２ＢＬ、１２ＢＲにそれぞれ形成された放射部空間８０に配置して、上記した放射部７４Ａとリールエリアリブ３２、上後壁１４ＢＢとの２ｍｍ以上の最短距離、４ｍｍ以上の平均距離を確保する構成が実現された。特に、記録テープカートリッジ１０では、給電部７４Ｂが上後壁１４ＢＢに接触又は極近接しており、ケース１２の内部空間を一層有効利用してＵＨＦ帯ＲＦＩＤタグ７０を配置（内蔵）することができる。
【００９２】
なお、放射部７４Ａがビスボス１５に接触する構成においても、該放射部７４Ａとビスボス１５との接触幅が２ｍｍ以下であるため、タグアンテナ７４はビスボス１５の誘電率の影響を受け難い。しかも、ビスボス１５は、放射部７４ＡにおけるＩＣチップ７２側の縁部７４Ｄとは反対の縁部側に離間されているので、タグアンテナ７４はビスボス１５の誘電率の影響をより一層受け難い。また、ビスボス１５とアンテナ基材（ＰＥＴ）や保護層、印字層などを介したタグアンテナ７４との距離を考慮し、タグアンテナのどちらの面をビスボス１５に接するようにするかを考慮することもある。
【００９３】
一方、仮に、ＵＨＦ帯ＲＦＩＤタグ７０放射部７４Ａが給電部空間７８に保持された場合、放射部７４Ａとケース１２（給電部空間７８を構成する上後壁１４ＢＢ、磁気テープＴの最外周部）との距離が近くなる、つまり、タグアンテナ７４の放射部７４Ａはケース１２（給電部空間７８を構成する上後壁１４ＢＢ、磁気テープＴの最外周部）の誘電率の影響を受け易い。これに対して、記録テープカートリッジ１０では、上記の通りケース１２の素材（誘電率）の影響が抑制されるので、タグアンテナ７４の設計自由度が高くなる。これにより、タグアンテナ７４は、ケース１２の素材（誘電率）の影響を受け易い構成と比較して、大型化することができ、共振周波数帯域幅の維持、拡大、及び放射効率の維持、向上に寄与する。そして、タグアンテナ７４の共振周波数帯域幅をＵＨＦ帯域の略全域（８６０ＭＨｚ〜９６０ＭＨｚ）に広げることで、記録テープカートリッジ１０が使用される各国、地域での通信が可能となり、ＵＨＦ帯ＲＦＩＤタグ７０含む記録テープカートリッジ１０の品種の統合が図られる。
【００９４】
放射部７４Ａのケース１２内への設置について補足する。放射部７４Ａは、ケース１２内における十分に広い空間を確保できる部分に配置することが好ましい。本実施の形態では、放射部７４Ａを配置すべき放射部空間８０がケース１２内における十分に広い空間であることを示すために、該放射部空間８０と給電部７４Ｂを配置すべき給電部空間７８との区別を、空間の大きさの違いに基づいて行っている。換言すれば、給電部空間７８の大きさを基準に、放射部空間８０の大きさを規定している。十分に広い空間としては、平面視正方形又は長方形で平面視円形のリール２０を収容するケース１２では、例えばケース１２の角隅部が好ましい。一方、給電部７４Ｂの配置位置は特に制限されるものではないが、平面視正方形又は長方形で平面視円形のリール２０を収容するケース１２では、角隅部と角隅部との間の比較的狭い空間を給電部の配置位置とすることによって、一対の放射部７４Ａを相対的に広い空間である角隅部（角隅部１２ＢＲ、１２ＢＬ）に配置することができるようになる。
【００９５】
（第２の実施形態）
次に、本発明の第２の実施形態を説明する。なお、上記第１の実施と基本的に同一の部品、部分については、上記第１の実施形態と同一の符号を付して説明を省略する。図１５には、本発明の第２の実施形態に係る記録テープカートリッジ１００の外観が斜視図にて示されており、図１４には、記録テープカートリッジ１００の上方から見た分解斜視図が示されている。なお、図１４においては、ロック機構４８の図示を省略している。これらの図１４、図１５に示される如く、記録テープカートリッジ１００は、ケース１０２を備えている。
【００９６】
ケース１０２におけるケース１２と異なる部分を説明すると、ケース１０２は、略矩形状の天板１１４Ａの周縁から外周壁１１４Ｂが下向きに立設された上ケース１１４と、略矩形状の底板の周縁から外側壁１１６Ｂが上向きに立設された下ケース１１６との接合により構成されている。このケース１０２の右前の角隅部には右側及び前側を共に向くように開口された開口１０４が形成されている。ピン受け凹部２４は、開口１０４に臨んで設けられている。この開口１０４は、平面視で円弧状に湾曲されたドア１０６によって開閉されるようになっている。ドア１０６は、その曲率と同等の曲率とされて天板１１４Ａ、底板１１６Ａに形成されたガイド溝１０８に案内されつつ、その円弧形状に沿った移動軌跡上をはみ出すことなく移動することで、開口１０４を開閉する構成とされている。また、ケース１０２では、開口１０４の両側にビスボス１５が配置されている。
【００９７】
このケース１０２は、リール空間３４を後部空間と仕切るリールエリアリブ１１０を備えている。具体的には、この実施形態におけるケース１０２におけるリールエリアリブ１１０は、開口１０４の後部から左側壁１２Ｌの前後方向の中央近傍まで連続する円弧壁を含む構成とされている。さらに、ケース１０２では、ケース１０２の後壁１０２Ｂを構成する上後壁１１４ＢＢとリールエリアリブ１１０とを連結する複数（この実施形態では３つ）の前後リブ１１２を有する。
【００９８】
そして、図１６及び図１７に示される如く、ＵＨＦ帯ＲＦＩＤタグ７０は、リール２０が配置されたリール空間３４に対する後方に配置された給電部空間１１８、放射部空間１２０に収容されている。
【００９９】
給電部空間１１８は、図１８にも示される如く、リールエリアリブ１１０と上後壁１１４ＢＢと右端及び左端の前後リブ１１２との間に形成された空間とされている。右側（メモリボードＭの配置側）の放射部空間１２０は、リールエリアリブ１１０と、上後壁１１４ＢＢと、外周壁１１４Ｂにおけるケース１０２の右側の側壁を成す上側壁１１４ＢＲとで囲まれた空間とされている。すなわち、右側の放射部空間１２０は、ケース１０２の後右の角隅部１０２ＢＲに配置されている。この空間は、図１８にも示される如く、ガイド溝１０８に沿って開口１０４の近傍で前向きに開口されている。一方、左側の放射部空間１２０（図示を省略した誤消去防止プラグの配置側）は、リールエリアリブ１１０と、連結壁３６と、上後壁１１４ＢＢと、外周壁１１４Ｂにおけるケース１０２の左側の側壁を成す上側壁１１４ＢＬとで囲まれた空間とされている。すなわち、左側の放射部空間１２０は、ケース１０２の後左の角隅部１０２ＢＬに配置されている。
【０１００】
ＵＨＦ帯ＲＦＩＤタグ７０を構成するタグアンテナ７４の放射部７４Ａ全体が配置される放射部空間１２０は、給電部７４Ｂの少なくともＩＣチップ７２接続部位が配置される給電部空間１１８よりも広い空間とされている。具体的には、図１７に示される如く、給電部空間１１８を構成する壁である上後壁１１４ＢＢとリールエリアリブ１１０との前後方向（給電部７４Ｂ、上後壁１１４ＢＢの厚み方向）の最小間隔をＤ１１、放射部７４Ａを挟むリールエリアリブ１１０と上後壁１１４ＢＢとの前後方向に沿った最小間隔をＤ１２、リールエリアリブ１１０と上後壁１１４ＢＢとの放射部７４Ａの厚み方向に沿った最小間隔をＤ１３とすると、Ｄ１２＞Ｄ１１、Ｄ１３＞Ｄ１１とされている。
【０１０１】
そして、ＵＨＦ帯ＲＦＩＤタグ７０は、左右の放射部７４Ａが放射部空間１２０の前後方向の略中央部に位置するように、上ケース１１４内に収容されている。具体的には、上ケース１１４における各前後リブ１１２には、ＵＨＦ帯ＲＦＩＤタグ７０が入り込む切欠部１２２が形成されている。ＵＨＦ帯ＲＦＩＤタグ７０は、左右の放射部７４Ａの間の部分が該切欠部１２２に入り込まされることで、放射部７４Ａの設置範囲を含む両端側が放射部空間１２０に収容されると共に、中央部が給電部空間１１８内に収容されている。
【０１０２】
この実施形態では、ＵＨＦ帯ＲＦＩＤタグ７０は、図１９に示される如く上ケース１１４に下ケース１１６を接合した状態で、下ケース１１６の前後リブ１１２が上ケース１１４の前後リブ１１２に突き当てられことによって、ケース１０２に保持されるようになっている。なお、ＵＨＦ帯ＲＦＩＤタグ７０は、記録テープカートリッジ１０の場合と同様にそれ自体の復元力によってＵＨＦ帯ＲＦＩＤタグ７０が上ケース１１４に保持される構成であっても良い。また、図１４では、下ケース１１６の前後リブ１１２が上ケース１１４の左右両端の前後リブ１１２に対応して２つ形成された例が図示されているが、上ケース１１４の３つの前後リブ１１２に対応して３つの前後リブ１１２を下ケース１１６に形成しても良い。
【０１０３】
この上ケース１１４（ケース１０２）への保持状態でＵＨＦ帯ＲＦＩＤタグ７０は、給電部７４Ｂの中央部（ＩＣチップ７２の接続部位）と、上後壁１１４ＢＢ及びリールエリアリブ１１０のうち近い方の壁部（この実施形態では上後壁１１４ＢＢ）との距離がＬ１１とされている。
【０１０４】
そして、ＵＨＦ帯ＲＦＩＤタグ７０における放射部７４Ａの設置範囲とリールエリアリブ１１０、上後壁１１４ＢＢとの最短距離をＬ１２、Ｌ１３とすると、Ｌ１２≒Ｌ１３でかつＬ１２＞Ｌ１１、Ｌ１３＞Ｌ１１とされている。すなわち、放射部７４Ａから放射部空間１２０を構成する壁のうち近い側の壁までの最短距離が、上記距離Ｌ１１よりも大きい設定とされている。この実施形態では、Ｌ１２、Ｌ１３＞２ｍｍとされている。
【０１０５】
また、上記の通り放射部７４Ａを挟む両側に位置する放射部空間１２０の壁間の間隔であるＤ１２、Ｄ１３が給電部７４Ｂを挟む両側に位置する給電部空間１１８の壁間の間隔であるＤ１１よりも大であるため、ＵＨＦ帯ＲＦＩＤタグ７０の厚みが十分に小さいことを考慮して、Ｌ１２＋Ｌ１３＞Ｄ１１、Ｌ１４＋Ｌ１５＞Ｄ１１となる。これにより、放射部７４Ａから両側の壁であるリールエリアリブ１１０、上後壁１１４ＢＢまでの距離の和（Ｌ１２＋Ｌ１３）が、給電部７４Ｂから両側の壁である磁気テープＴの最外周部、上後壁１１４ＢＢまでの距離の和（Ｌ１１＋Ｌ１４≒Ｄ１１）よりも大きい設定とされている。
【０１０６】
さらに、上記の最短距離、間隔の関係から、記録テープカートリッジ１００では、放射部７４Ａの設置範囲に亘る該放射部７４Ａから上後壁１１４ＢＢまでの平均距離Ｌａ１２、及び該放射部７４Ａからリールエリアリブ１１０までの平均距離Ｌａ１３のそれぞれが、給電部７４Ｂから上後壁１１４ＢＢまでの平均距離Ｌａ１１よりも大とされている。この実施形態では、放射部７４Ａの設置範囲に亘る上後壁１１４ＢＢ、リールエリアリブ１１０までの各平均距離Ｌａ１２、Ｌａ１３は、それぞれ４ｍｍ以上となるように設定されている。この平均距離は、上記の通りＵＨＦ帯ＲＦＩＤタグ７０における放射部７４Ａの設置範囲を、放射部空間１２０の前後方向略中間部に配置する（Ｌａ１１≒Ｌａ１２とする）ことで実現されている。
【０１０７】
また、記録テープカートリッジ１０では、ＵＨＦ帯ＲＦＩＤタグ７０における放射部７４Ａの設置範囲がビスボス１５に接触しない設定とされている。
【０１０８】
ここで、第２の実施形態に係る記録テープカートリッジ１００では、ＵＨＦ帯ＲＦＩＤタグ７０における放射部７４Ａの設置範囲の少なくとも一部がケース１０２の構成部品（リールエリアリブ１１０、上後壁１１４ＢＢ、ビスボス１５等）とは非接触とされている。しかも、放射部７４Ａとケース１０２の構成部品との最短距離が２ｍｍ以上、平均距離が４ｍｍ以上とされている。これらにより記録テープカートリッジ１００では、基本的に第１の実施形態に係る記録テープカートリッジ１０と同様の作用によって同様の効果を得ることができる。すなわち、記録テープカートリッジ１００では、内蔵したＵＨＦ帯ＲＦＩＤタグ７０は、ケース１０２の誘電率の影響を受け難い。
【０１０９】
例えば、仮に、ＵＨＦ帯ＲＦＩＤタグ７０の放射部７４Ａが給電部空間１１８に保持された場合、放射部７４Ａとケース１０２（給電部空間１１８を構成するリールエリアリブ１１０、上後壁１１４ＢＢ）との距離が近くなる、つまり、タグアンテナ７４の放射部７４Ａはケース１０２（給電部空間１１８を構成するリールエリアリブ１１０、上後壁１１４ＢＢ）の誘電率の影響を受け易く、タグアンテナ７４の設計、性能に制約が生じる。
【０１１０】
これに対して記録テープカートリッジ１００では、上記の通り内蔵したＵＨＦ帯ＲＦＩＤタグ７０がケース１０２の誘電率の影響を受け難いので、換言すれば、ケース１０２の素材（誘電率）の影響が抑制されるので、タグアンテナ７４の設計自由度が高くなる。これにより、タグアンテナ７４は、ケース１０２の素材（誘電率）の影響を受け易い構成と比較して、大型化することができ、共振周波数帯域幅の維持、拡大、及び放射効率の維持、向上に寄与する。そして、タグアンテナ７４の共振周波数帯域幅をＵＨＦ帯域の略全域（８６０ＭＨｚ〜９６０ＭＨｚ）に広げることで、記録テープカートリッジ１００が使用される各国、地域での通信が可能となり、ＵＨＦ帯ＲＦＩＤタグ７０含む記録テープカートリッジ１００の品種の統合が図られる。
【０１１１】
なお、ケース１２、１０２に対するＵＨＦ帯ＲＦＩＤタグ７０の保持構造は、上記した例に限られることはなく、例えば、図２０〜図２６に示される如き変形例に係る構成を採ることができる。
【０１１２】
図２０に示す第１変形例では、上ケース１１４の天板１１４Ａからは、底面視で略コ字状に形成された保持部材としての一対の保持突起１３０が設けられている。ＵＨＦ帯ＲＦＩＤタグ７０は、弾性変形状態のベースシート７６の長手方向の両端部が保持突起１３０入り込まされることで、上ケース１４、１１４に保持されている。この保持状態で保持突起１３０は、放射部７４Ａの端部からの距離Ｌ２０が２ｍｍ以上、好ましくは４ｍｍとされている。この第１変形例では、ＵＨＦ帯ＲＦＩＤタグ７０の放射部７４Ａがケース１０２の構成部品からも離間された理想的なＵＨＦ帯ＲＦＩＤタグ７０の保持状態を実現することができえる。また、第１変形例では、前後リブ１１２が設けられていない（給電部空間１１８と放射部空間１２０とが連続されている）ので、放射部７４Ａに近接して位置するケース１０２の構成部品が一層少なくなる。
【０１１３】
図２１に示す第２変形例では、ＵＨＦ帯ＲＦＩＤタグ７０の自由状態が平坦状又は図示状態よりも曲率が小さい湾曲形状とされており、このＵＨＦ帯ＲＦＩＤタグ７０は、曲率が大きくなる方向に弾性変形されつつ、左右両端がビスボス１５に前側から接触されると共に前後リブ１１２に代えて設けられたリブ１３２によって中央部が後側から接触されている。これにより、ＵＨＦ帯ＲＦＩＤタグ７０は、その弾性によってケース１０２に保持されている。
【０１１４】
この構成においても、ＵＨＦ帯ＲＦＩＤタグ７０における放射部７４Ａの設置範囲がビスボス１５に接触しないか、又は接触幅が２ｍｍ以下になる設定とされている。放射部７４Ａの設置範囲がビスボス１５に接触しない場合において、ＵＨＦ帯ＲＦＩＤタグ７０におけるビスボス１５の接触部位とタグアンテナ７４（の長手方向端部）との距離は２ｍｍ以上とすることが好ましく、４ｍｍ以上とすることがより好ましい。一方、ＵＨＦ帯ＲＦＩＤタグ７０における放射部７４Ａがビスボス１５に接触する構成においては、この実施形態におけるビスボス１５の周面が円筒面であるため、その接触幅が２ｍｍとなる構成が実現されている。この第２変形例においても前後リブ１１２が設けられていないので、放射部７４Ａに近接して位置するケース１０２の構成部品が一層少なくなる。
【０１１５】
図２２に示される第３変形例は、自由状態で略平坦とされるＵＨＦ帯ＲＦＩＤタグ７０を３つの前後リブ１１２に互い違いに（第２実子形態と比べ前後の位置ずれが大きく）形成された切欠部１３４にＵＨＦ帯ＲＦＩＤタグ７０を入り込ませている。これにより、ＵＨＦ帯ＲＦＩＤタグ７０は、各放射部７４Ａが対応する放射部空間１２０内で前後方向の略中央に位置されるように、ケース１２、１０２に保持されている。
また、図２１、図２２に示す例では、ＵＨＦ帯ＲＦＩＤタグ７０は、ドア１０６との干渉を防止するために左側（紙面右側）にオフセットして配置されている。ここで、ＵＨＦ帯ＲＦＩＤタグ７０では、一般に長手方向中央部にＩＣチップ７２が配置されるので、上記のオフセット配置されたＵＨＦ帯ＲＦＩＤタグ７０は、ＩＣチップ７２からずれた位置で前後リブ１１２（切欠部１３４）、リブ１３２にて保持される。すなわち、ＵＨＦ帯ＲＦＩＤタグ７０は、ＩＣチップ７２の設置部位で前後リブ１１２（切欠部１３４）、リブ１３２により保持されることが回避される。これにより、前後リブ１１２（切欠部１３４）、リブ１３２からＩＣチップ７２に外力が直接的に作用することが回避されたり、また前後リブ１１２（切欠部１３４）、リブ１３２においてＵＨＦ帯ＲＦＩＤタグ７０が湾曲することでもたらされるＩＣチップ７２への応力が回避されたりし、ＩＣチップ７２が保護されやすい（破損を生じたりし難い）状態となる。
【０１１６】
図２３に示される第４変形例では、ベースシート７６のベースシート７６における切欠部１２２に入り込む部分に切欠部１３６が形成されている。切欠部１３６は、３つの切欠部１２２に対応して３つ設けられているが、１つ又は２つ設けられても（３つの切欠部１３６の一部又は全部を繋げても）良い。この第４変形例では、前後リブ１１２における切欠部１２２上方（天板１１４Ａ側）の切り残し部分が入り込む。このため、図２４に示される如く、前後リブ１１２における切欠部１２２の深さを低くして該前後リブ１１２による上ケース１１４（ケース１０２）の補強効果を得ることができる。すなわち、前後リブ１１２がケース１０２の剛性確保に寄与する。また、ケース１０２に対するＵＨＦ帯ＲＦＩＤタグ７０の位置決めが容易である。
【０１１７】
図２５に示される第５変形例では、矩形状の放射部７４Ａに代えて、略三角形状の放射部７４Ｅが形成されている。また、図２６に示される第６変形例では、矩形状の放射部７４Ａに代えて、矩形枠状の放射部７４Ｆが形成されている。このように、タグアンテナ７４における放射部は、給電部（少なくともＩＣチップ７２の接続部位の近傍）よりも幅広に形成された部分、又は該幅広部分を含むタグアンテナ７４の部分とされることが好ましい。但し、本発明は、放射部と給電部とが同じ幅で形成された構成を排除するものではない。
【０１１８】
また、本発明は、上記した実施形態又は変形例の構成に限られることはなく、各種変形して実施可能であることはいうまでもない。例えば、放射部７４Ａが放射部空間８０を構成する壁から最短距離で２ｍｍ以上、平均距離で４ｍｍ以上離間される好ましい構成にはげ限定されず、放射部７４Ａが放射部空間８０を構成する壁までの平均距離が２ｍｍ以上である構成としても良い。
【０１１９】
さらに、上記した各実施形態では、放射部空間８０、１２０、給電部空間７８、１１８の境界部として、上後壁１４ＢＢ、リールエリアリブ３２、上ガイド壁６６、磁気テープＴの最外周部（面）、ビスボス１５、上後壁１１４ＢＢ、リールエリアリブ１１０等が例示されたが、本発明はこれに限定されず、例えば、ケース１２、１０２を構成する壁状のもの、衝立状のもの、スリット状（複数の棒状体が並列されたもの）のもの、格子状のもの、突き出し棒状の突起物などを、放射部空間８０、１２０、給電部空間７８、１１８の境界部として挙げることができる。ここで、境界部としての壁とは、放射部７４Ａ（給電部７４Ｂ）に沿って延在する（面接触又は極近接して対向し得る）平面又は曲面状部分であって、放射部７４Ａ等が線接触（ビスボス１５の例を参照）や点接触するような棒状の突起部（の集合体）とは異なる。すなわち、境界部としての壁は、棒状の突起部（の集合体）等の他の立設部と比較して、放射部７４Ａに対し誘電率の影響を与えやすい部分として捉えることも可能である。また、このような壁のうち、ケース１２、１０２内すなわち外周壁１４Ｂ、１１４Ｂの内側に配置された壁を内壁（例えば、リールエリアリブ３２、１１０、上ガイド壁６６、連結壁３６等）と捉えることができる。
【符号の説明】
【０１２０】
１０      記録テープカートリッジ
１２      ケース
１４Ｂ    外周壁（給電部空間、放射部空間を構成する壁）
１４ＢＢ  上後壁（給電部空間、放射部空間を構成する壁）
２０      リール
３２      リールエリアリブ（立設部、分離壁、放射部空間を構成する壁）
３４      リール空間
６６      上ガイド壁（立設部、放射部空間を構成する壁）
７０      ＵＨＦ帯ＲＦＩＤタグ（ＲＦＩＤタグ）
７４      タグアンテナ（アンテナ）
７４Ｂ    給電部
７４Ａ    放射部
７８      給電部空間
８０      放射部空間
１００      記録テープカートリッジ
１０２      ケース
１１０      リールエリアリブ（立設部、分離壁、給電部空間、放射部空間を構成する壁）
１１４Ｂ    外周壁（給電部空間、放射部空間を構成する壁）
１１４ＢＢ  上後壁（給電部空間、放射部空間を構成する壁）
１１８      給電部空間
１２０      放射部空間
１３０      保持突起（保持部材）
Ｔ      磁気テープ
【図１】
2011141930.tif 000003
【図２】
2011141930.tif 000004
【図３】
2011141930.tif 000005
【図４】
2011141930.tif 000006
【図５】
2011141930.tif 000007
【図６】
2011141930.tif 000008
【図７】
2011141930.tif 000009
【図８】
2011141930.tif 000010
【図９】
2011141930.tif 000011
【図１０】
2011141930.tif 000012
【図１１】
2011141930.tif 000013
【図１２】
2011141930.tif 000014
【図１３】
2011141930.tif 000015
【図１４】
2011141930.tif 000016
【図１５】
2011141930.tif 000017
【図１６】
2011141930.tif 000018
【図１７】
2011141930.tif 000019
【図１８】
2011141930.tif 000020
【図１９】
2011141930.tif 000021
【図２０】
2011141930.tif 000022
【図２１】
2011141930.tif 000023
【図２２】
2011141930.tif 000024
【図２３】
2011141930.tif 000025
【図２４】
2011141930.tif 000026
【図２５】
2011141930.tif 000027
【図２６】
2011141930.tif 000028